(57)【特許請求の範囲】
【請求項１】
少なくとも一対のレッグ部（４）（４）が複数サイズの編ループを用いて編成されたパンティストッキングであって、前記レッグ部（４）（４）は前記複数サイズの編ループのうち最大サイズの編ループにより編成されたハイライト部（８）（８）と、前記複数サイズの編ループのうち最小サイズの編ループにより編成されたシャドウ部（９）（９）とを有し、前記ハイライト部（８）（８）と前記シャドウ部（９）（９）の間（１０）（１０）が、自然なグラデーションとなるように複数の編成技術が組み合わされて編成されており、前記ハイライト部（８）（８）は前記レッグ部（４）（４）正面のほぼ中央及び／又は前記背面のほぼ中央に設けられ、前記ハイライト部（８）（８）はその周方向長さが前記レッグ部（４）（４）の全周長の３％〜６％であることを特徴とするパンティストッキング。
【請求項２】
少なくとも一対のレッグ部（４）（４）が複数サイズの編ループを用いて編成されたストッキングであって、前記レッグ部（４）（４）は前記複数サイズの編ループのうち最大サイズの編ループにより編成されたハイライト部（８）（８）と、前記複数サイズの編ループのうち最小サイズの編ループにより編成されたシャドウ部（９）（９）とを有し、前記ハイライト部（８）（８）と前記シャドウ部（９）（９）の間（１０）（１０）が、自然なグラデーションとなるように複数の編成技術が組み合わされて編成されており、前記ハイライト部（８）（８）は前記レッグ部（４）（４）正面のほぼ中央及び／又は前記背面のほぼ中央に設けられ、前記ハイライト部（８）（８）はその周方向長さが前記レッグ部（４）（４）の全周長の３％〜６％であることを特徴とするストッキング。
【発明の詳細な説明】
【０００１】
【発明の属する技術分野】
本発明はパンティストッキング及びストッキングに関する。
【０００２】
【従来の技術】
従来より、着用したときに足が細く見えるように加工されたパンティストッキングやストッキング（以下、ストッキング類という）として、様々なものが提供されてきている。例えば、糸の色の濃淡差により縦縞模様がつけられたものや（特許第２９２８７６２号公報）、編目の密度差により側面部の色を他の部分より濃くして影（シャドウ）が形成されたもの（特開平９−７８３０７号公報）等がある。
【０００３】
シャドウが形成されたタイプのストッキング類は、着用時に正面又は背面からシャドウが少し見え、このシャドウより内側が足のように見えるので、足が細く見える効果が発揮される。
【０００４】
【発明が解決しようとする課題】
上述のような、色彩の濃淡により足を細く見せるストッキング類は、様々な種類のものが開発されている。しかし従来の開発は、色彩の濃淡のメリハリをつける技術の差別化に着目されてなされてきたものである。
すなわち、色彩の濃淡による外観の不自然さを感じさせない、自然な外観のための設計や、足を最も細くみせることに着目した設計等に対しての取り組みが不十分で、十分な効果が得られていないのが実情である。
【０００５】
本発明はかかる問題点に鑑みなされたものであってその目的とするところは、足を細くみせるための濃淡差がありながら自然な外観を持ち、また足を細く見せる効果（以下、脚細効果）をより発揮できるパンティストッキング及びストッキングを提供することにある。
【０００６】
【課題を解決するための手段】
上記の問題点を解決するために、本発明においては以下の手段を採用した。すなわち本発明にかかるパンティストッキングは、少なくとも一対のレッグ部が複数サイズの編ループを用いて編成されてあって、前記レッグ部は前記複数サイズの編ループのうち最大サイズの編ループにより編成されたハイライト部と、前記複数サイズの編ループのうち最小サイズの編ループにより編成されたシャドウ部とを有し、前記ハイライト部と前記シャドウ部の間が、自然なグラデーションとなるように複数の編成技術が組み合わされて編成されていることを特徴とする。
【０００７】
ハイライト部とシャドウ部の間は、針密度（ゲージ）の変更や、フックの大きさの調整、又はステッチ差の調整等の編成技術により、編ループの大きさを変化させてグラデーションを形成していく領域である。
このとき、例えばゲージが変更する部分において、フックの大きさの調整やステッチ差の調整等の編成技術を組み合わせて編ループの大きさを調整すれば、ゲージ変更のみの単一の編成技術により編ループを調整するよりも、除々に編ループの大きさを調整でき、自然なグラデーションを形成できる。その結果、より自然な外観を得ることができて好適である。
【０００８】
また本発明にかかるパンティストッキングは、少なくとも一対のレッグ部が複数サイズの編ループを用いて編成されてあって、前記レッグ部は前記複数サイズの編ループのうち最大サイズの編ループにより編成されたハイライト部と、前記複数サイズの編ループのうち最小サイズの編ループにより編成されたシャドウ部とを有し、前記ハイライト部は前記レッグ部正面のほぼ中央及び／又は前記背面のほぼ中央に設けられ、前記ハイライト部はその周方向長さが前記レッグ部の全周長の０．２５％〜２５％であることを特徴とする。
【０００９】
本発明者らは、ハイライト部のレッグ部正面視における幅と脚細効果との関係について実験した結果、その幅が細いほど脚細効果が高い傾向にあり、ある特定範囲の幅であれば、最も高い脚細効果が得られることを見いだした。
本発明においては、ハイライト部のレッグ部正面視における幅を、ハイライト部の周方向長さに換算して、高い脚細効果が得られる一定の範囲を導いた。
すなわち、ハイライト部は前記レッグ部正面のほぼ中央及び／又は前記背面のほぼ中央に設けられ、前記ハイライト部はその周方向長さが前記レッグ部の全周長の０．２５％〜２５％であることが好適である。更には、０．２５％〜１０％がより脚細効果があり、最も脚細効果が高いのは３％〜６％である。
【００１０】
上記手段によれば、レッグ部両側にあるシャドウ部のちょうど中間付近にハイライト部が配置されるので、ハイライト部とシャドウ部による濃淡をごく自然に見せることができる。またハイライト部の周方向長さが上記範囲内であると、高い脚細効果が得られる。
上述した構成は、パンティストッキングのみならずストッキングにも設けることができる。すなわち、本発明にかかるストッキングは、少なくとも一対のレッグ部が複数サイズの編ループを用いて編成されてあって、前記レッグ部は前記複数サイズの編ループのうち最大サイズの編ループにより編成されたハイライト部と、前記複数サイズの編ループのうち最小サイズの編ループにより編成されたシャドウ部とを有し、前記ハイライト部と前記シャドウ部の間が、自然なグラデーションとなるように複数の編成技術が組み合わされて編成されていることを特徴とする。
【００１１】
この手段によれば、上述したパンティストッキングと同様に、除々に編ループの大きさを調整して自然なグラデーションを形成できるので、より自然な外観を得ることができる。
また本発明にかかるストッキングは、少なくとも一対のレッグ部が複数サイズの編ループを用いて編成されてあって、前記レッグ部は前記複数サイズの編ループのうち最大サイズの編ループにより編成されたハイライト部と、前記複数サイズの編ループのうち最小サイズの編ループにより編成されたシャドウ部とを有し、前記ハイライト部は前記レッグ部正面のほぼ中央及び／又は前記背面のほぼ中央に設けられ、前記ハイライト部はその周方向長さが前記レッグ部の全周長の０．２５％〜２５％であることを特徴とする。また、より高い脚細効果を得るには、０．２５％〜１０％が更に好ましく、最も脚細効果が高いのは３％〜６％である。
【００１２】
この手段によれば、上述のパンティストッキングと同様に、レッグ部両側にあるシャドウ部のちょうど中間付近にハイライト部が配置されるので、ハイライト部とシャドウ部による濃淡をごく自然に見せることができる。またハイライト部の周方向長さが上記範囲内であると、高い脚細効果が得られる。
【００１３】
【発明の実施の形態】
以下、本発明の実施形態を図面に基づき説明する。図１は、実施形態にかかるパンティストッキング（以下、パンストという）１を示した正面図である。パンスト１は、着用時にウェスト部分を締め付けるウェストバンド２、ヒップ部分を包むパンティ部３、足を包む一対のレッグ部４、４、足首から足先までを包む一対のアンクル部５、５を有している。
パンスト１は、足の立体形状に沿うよう、また足の動きを阻害しないこと等を考慮して、複数サイズの編ループを組み合わせて編成されている。
【００１４】
これら複数サイズの編ループのうち、最大サイズの編ループによりハイライト部８、８が編成されている。ハイライト部８は、レッグ部４のほぼ正面において、レッグ部４長さ方向に沿って配置されている。
またパンスト１の正面視における両端面にはシャドウ部９、９が、レッグ部４長さ方向に沿って配置されている。ハイライト部８及びシャドウ部９は、レッグ部４の全長にわたって設けられている。ハイライト部８とシャドウ部９の間の中間部１０、１０は、濃淡のグラデーションが自然に変化するように複数の編成技術により編成されている。
【００１５】
パンスト１は、レッグ部４、４の編目の粗密を変化させてグラデーションが形成されている。すなわちレッグ部４、４を複数サイズの編ループを用いて編成し、その際に複数サイズの編ループのうちの最大サイズの編ループにより編成された部分をハイライト部８、８とし、最小サイズの編ループにより編成された部分をシャドウ部９、９とする。
また、ウェストバンド２やパンティ部３等の各部分については、適宜の大きさに設定された編ループにより編成される。
【００１６】
シャドウ部９、９は、シャドウ部９、９を編成する編ループの大きさがレッグ部４、４を構成する編ループの中では最小であるため、レッグ部４、４の他の部分に比較して面積透過率が低い。逆にハイライト部８、８は、レッグ部４、４の他の部分に比較して面積透過率が高い。
ハイライト部８、８は、シャドウ部９、９によりその明るさが強調され、逆にシャドウ部９、９は、ハイライト部８、８によりその暗さが強調されて、脚細効果が発揮される。
【００１７】
ハイライト部８とシャドウ部９の間は、編ループの大きさを除々に変化させてグラデーションを形成していく領域である。このとき、編ループの大きさは、外観上不自然なグラデーションとならないよう、微妙に調整しながら、少しずつ変化させていくことが必要である。
このような編ループ大きさの変化は、自然なグラデーションとなるように複数の編成技術を組み合わせて行う。複数の編成技術としては、例えばゲージの変更、フック大きさの調整、ステッチ差の調整、等が挙げられる。
【００１８】
単一の編成技術により、例えばゲージの変更のみにより、編ループの大きさを変化させるとすれば、編ループの大きさを細かく調整することは困難で、どうしても段階的なグラデーションが形成されてしまう。
一方、複数の編成技術の組み合わせにより、例えばゲージが変更する部分において、フック大きさの調整やステッチ差の調整等の編成技術を組み合わせて編ループの大きさを調整すれば、編ループの大きさの細かな調整が容易になり、除々に編ループの大きさを変化させて自然なグラデーションを形成できる。
【００１９】
つまり、単一の編成技術によるグラデーションでは、自然さを実現するには限界があり、実際には段階的にしかグラデーションを設定できない。グラデーションの変化は成り行きであり、調整のきかない編目の変移となってしまう。
一方、上述のように複数の編成技術を組み合わせれば、それぞれの編成技術の切り替わり部においても、他の編成技術により編目の変移をコントロールでき、常に自然なグラデーションを形成でき、常に自然な形をコントロールしながら編成することができる。
【００２０】
なお、複数の編成技術を組み合わせれば、ハイライト部とシャドウ部の濃淡差を際だたせることが容易になるという利点もある。
次に、ハイライト部の幅について説明する。以下に説明する官能実験により、ハイライト部の最適幅について実験した。実験内容について、図２〜図４に基づき説明する。
なお、「ハイライト部の幅」とはストッキングを着用した際、あるいは脚型等にはかせた際の、ハイライト部正面視における幅をいう。
【００２１】
図２は、様々なハイライト幅を持つレッグ部を８種類編成し（実験例１〜実験例８）、それぞれを足型にはかせて正面から見たときのグラデーションパターンを示したものである。パターンの中央部分はレッグ部の正面を、両端部分はレッグ部の両側面を表す。
編目の大きさは、フック大きさの大小、ゲージの大小、ステッチ差の大小により調整される。実験例１〜７のハイライト部は、このうちステッチ差とゲージが大きく設定して得られる大きな編ループにより編成されており、本実験においては「白幅」という。白幅を構成する編ループは、レッグ部を編成する編ループのうち最大の大きさである。
【００２２】
また実験例８のハイライト部は、上記白幅を構成する編ループよりもステッチ差をやや小さく設定した、やや小さな編ループにより編成され、本実験においては「グレー幅」という。図２においては、幅Ｇで表す。グレー幅を編成する編ループは、実験例８のレッグ部を編成する編ループの中では、最大の大きさである。
レッグ部正面視における幅を等分に１１エリアに分割し、ハイライト部がそのうちの一つ分のエリアを占める場合に「幅１」、二つ分のエリアを占める場合に「幅２」、と表す。実験例１〜７はハイライト部として白幅を持ち、実験例１は幅１、実験例２は幅２、と順次白幅の数を増やし、実験例７は幅７のものである。また、実験例８はハイライト部としてグレー幅をもち、幅２である。
【００２３】
ハイライト部は、レッグ部正面視における中心線Ｎを中心にして左右に等分に配置されている。ハイライト部の両端から外側に向かって除々に暗くなるようにグラデーションを構成し、両端の最も暗いシャドウ部に至る。
これら８種類のレッグ部について、細く見える順位を成人女性２０名の官能により評価し、その順位評価の平均値を図３に示した。１位に近づくほど細く見えることを意味する。
これによれば、ハイライト部の幅が細いほど足が細く見える傾向にあり、白幅が３以下である場合により細くみえることがわかる。中でも、実験例２（白幅２）のときが最も足が細くみえた。
【００２４】
それ以上に白幅の細い実験例１（白幅１）のときは、実験例２のときほど足は細く見えなかったが、実験例１〜実験例２の間が、最も高い脚細効果が得られるといえる。
なお実験例８は、ハイライト部の編ループの大きさが実験例１〜７の白幅の編ループ大きさよりもやや小さいので、シャドウ部との濃淡のメリハリが実験例１〜７に比し少ない。脚細効果は、ハイライト部とシャドウ部の濃淡のメリハリが強いときに大きくなるため、実験例８はハイライト部の幅が同一である実験例２よりも、脚細効果は低かった（図３参照）。
【００２５】
ハイライト部の幅を、ハイライト部周方向長さに換算すると、図４のように考えられる。図４は、パンティストッキングのレッグ部の周方向断面図で、最も脚が細くみえた白幅２の状態を示している。
正面視における幅、すなわちレッグ部の直径に該当する部分を１１エリアに分割したので、便宜上直径１１とし、そのうち白幅２は図示するようにとることができる。このとき、レッグ部の全周長は３４．５４で、白幅２に対応する部分の周長Ｌは全周長３４．５４のうち約６％を占めることになる。同様に、他の実験例についても換算を行った。
【００２６】
その結果、脚細効果が得られるハイライト部の周方向長さは、レッグ部全周長の０．２５％〜２５％であることが判明した。またこの範囲のうちでも、０．２５〜１０％がより脚細効果が得られ、更には３％〜６％であれば最も高い脚細効果が期待でき、特に全周長の約６％を占めるとき（白幅２のとき）が、より確実な効果を期待できる。
このとき、ハイライト部はレッグ部正面のほぼ中央、及び背面のほぼ中央に設けられている。また、正面あるいは背面のいずれか一方に設けられていてもよい。一方のみの場合は、足首を細くみせるためにアキレス腱に沿ってラインを際だたせる事が効果的であるため、特に背面側に設けることが好ましい。
【００２７】
図２において、実験例１〜７のグレー階調の部分と、実験例８のグレー幅Ｇ以外のグレー階調の部分は、ハイライト部とシャドウ部との間の部分である。この部分は、前述したように複数の編成技術が組み合わされて、グラデーションがごく自然になるように構成される。
次に、実際に本発明にかかるパンストを編成し（実施例）、従来の脚細効果のあるパンスト（比較例１）及び、レッグ部が同一の大きさの編ループにより編成され脚細効果を持たない通常のパンスト（比較例２）と比較する。
【００２８】
実施例においては、ハイライト部の周長はレッグ部全周長の約６％であり、足が最も細く見える効果が期待できる範囲に設定されている。
レッグ部の構成について、更に詳細に説明する。レッグ部の編成に使用した糸は、ナイロンとポリウレタンのコンジュゲートヤーン（東レ製、商品名１８−２）である。使用したストッキング編機は、針本数３８４本で、シリンダーを９０°ずつ４分割して、針密度の高いハイゲージ部と針密度の低いローゲージ部を交互に組み合わせて、シリンダーを４分の１セクションごとに編目の粗密変化を構成した。また編目に０．４ｍｍのステッチ差を設けて、ハイライト部とシャドウ部の濃淡差を際だたせて実施例にかかるパンストを編成した。
【００２９】
このとき、編針のフックサイズの大きいものを併用し、より濃淡差にメリハリをつけるようにした。また、ゲージの切り替わり部やステッチの切り替わり部等を、フックサイズの大きさを変えて編成し、より自然なグラデーションを実現するようにした。フックサイズの大きいものを併用するため、急激に編ループ長が変わることを防止できる。
ステッチ差の大きいところは編ループが大きく糸が粗になるため淡くみえ（ハイライト部）、ステッチ差の小さいところは編ループが小さく糸が密になるため濃くみえる（シャドウ部）。ハイライト部は、レッグ部の正面及び背面に設けられる。
【００３０】
以下に、実施例の評価について説明する。
＜１＞濃淡のメリハリ：実施例の濃淡のメリハリの度合いを、足型及び比較例１と２５６段階によるグレー階調評価により比較した。結果は図５に示す。比較例１も、足型と比較すれば濃淡のメリハリはある。しかし実施例は、ハイライト効果とシャドウ効果により、比較例１よりも更に濃淡差がついていることがわかる。
＜２＞自然さ：不自然なラインや縞模様が現出していないか評価した。実施例を図６に、比較例１を図７に示す。実施例は自然な透明感を有し、不自然なシャドウラインは見られなかった。比較例１は、不自然な横縞が目立っていた。
＜３＞外観評価：グラデーションの自然さ、足が細く見える効果について、２０名の成人女性の官能評価により行った。実施例と比較例２について近くからみたグラデーションの自然さの比較結果を図８に、実施例と比較例２について遠くからみたグラデーションの自然さの比較結果を図９に、実施例、比較例１、比較例２について足が細く見える効果の比較結果を図１０に示す。
【００３１】
図８〜図１０は、２０名の順位評価の平均値を表している。１位に近づく程、評価が高いことを意味する。
図８及び図９より、実施例は、従来タイプのシャドウ効果を有するパンストよりも自然なグラデーションを有していることがわかる。また図１０より、シャドウ効果を有さない通常のパンストはもとより、従来タイプのシャドウ効果を有するパンストよりもより優れたシャドウ効果を有し、足が細く見えることがわかる。
＜３＞総合評価：外観の自然さ、透明性、肌触り、脚細効果、生地外観、の各項目について、実施例と比較例１とを比較した。その結果を図１１に示す。実施例は、比較例１に比し良好な脚細効果を発揮でき、かつ自然で美しい外観をもつことがわかる。
【００３２】
なお、上述の説明はすべてパンティストッキングに関して行ったが、ストッキングにも同様の構成が採用可能である。また、上述の説明では、ハイライト部とシャドウ部の間の自然なグラデーションを実現できる構成と、高い脚細効果を得られる構成の双方を具備しているが、必ずしも双方の構成を具備しなくてもよく、いずれか一方の構成のみを具備することもできる。
【００３３】
【発明の効果】
本発明によれば、レッグ部のハイライト部とシャドウ部の間を、自然なグラデーションとなるように複数の編成技術を組み合わせて編成したので、足を細くみせるための濃淡差がありながら自然な外観を実現できる。
また、ハイライト部の周方向長さを所定の長さに設定したので、より高い脚細効果を得ることができる。
【図面の簡単な説明】
【図１】本発明の実施形態を示した正面図である。
【図２】グラデーションパターンを示した図である。
【図３】脚細効果の順位を示すグラフである。
【図４】ハイライト幅の正面視における幅を周方向長さに換算する概念図である。
【図５】濃淡のメリハリ具合を示した概念図である。
【図６】実施例のグラデーションを示したものである。
【図７】比較例のグラデーションを示したものである。
【図８】グラデーションの自然さを比較したグラフである。
【図９】グラデーションの自然さを比較したグラフである。
【図１０】脚細効果を比較したグラフである。
【図１１】総合評価を示したグラフである。
【符号の説明】
１  パンティストッキング
２  ウェストバンド
３  ヒップ部
４  レッグ部
８  ハイライト部
９  シャドウ部
１０  中間部
【図１】
0003749655.tif 000002
【図２】
0003749655.tif 000003
【図３】
0003749655.tif 000004
【図４】
0003749655.tif 000005
【図５】
0003749655.tif 000006
【図６】
0003749655.tif 000007
【図７】
0003749655.tif 000008
【図８】
0003749655.tif 000009
【図９】
0003749655.tif 000010
【図１０】
0003749655.tif 000011
【図１１】
0003749655.tif 000012